(57)【要約】【課題】  ＡＤＦジャム時の操作性を改善することのできる自動原稿送り装置を提供する。【解決手段】  ジャム処理のためＡＤＦカバーを開けたとき、自動的に操作部ディスプレイにジャム処理に特化した情報を表示する。ＡＤＦ内部に設けられた各センサのセンス状態によって駆動系の駆動方法を自動的に変更し、最適なジャム処理を行う。駆動系の駆動開始及び停止はユーザが任意に設定でき、再ジャムの可能性を低減させる【選択図】        図１
2006163289.tif 000002
【特許請求の範囲】
【請求項１】
複数原稿を載置し、自動的に原稿を１枚ずつ給紙し、所定の読み取り位置に順次原稿を搬送する自動原稿送り装置のうち、
原稿搬送中に原稿の搬送不良によるジャムが発生した場合、ユーザによって自動原稿送り装置のカバーが開けられたことを検知することによって、自動原稿送り装置が搭載されているプリンタ装置などの表示部が通常表示からジャム処理情報表示に自動的に切り替わり、なおかつ操作部上に存在する既存のスイッチをジャム処理用のスイッチに自動的に切り替えることを特徴とする自動原稿送り装置。
【請求項２】
請求項１に記載した自動原稿送り装置のうち、第１の所定スイッチを押すことにより、自動原稿送り装置の原稿搬送系を駆動し、ジャムを発生した原稿を排出するとともに、第２の所定スイッチを押すことにより自動原稿送り装置の原稿搬送系の駆動を中止することを特徴とする自動原稿送り装置。
【請求項３】
請求項２に記載した自動原稿送り装置のうち、第３の所定スイッチを押すことにより、あらかじめ決められた原稿搬送系の駆動方向を逆方向に駆動することを特徴とする自動原稿送り装置。
【請求項４】
請求項１に記載した自動原稿送り装置のうち、自動原稿送り装置内部の原稿搬送経路に設けられた単数または複数の原稿有無を検知する検知センサのセンス状態に応じて自動的に原稿搬送系の駆動方向を決定することを特徴とする自動原稿送り装置。
【発明の詳細な説明】
【技術分野】
【０００１】
本発明は画像読取装置、特に複数枚数の原稿を自動的に順次読み取る自動原稿送り装置（オートドキュメントフィーダで、以降ＡＤＦと略す）を装備した画像読み取り装置、特にＡＤＦに原稿を挟み込むニップ機構を解除する構成を省略したＡＤＦに関する。
【背景技術】
【０００２】
従来、複数枚の原稿を連続的に読み取る際には、画像読み取り装置にオートドキュメントフィーダ（ＡＤＦ）を搭載して、原稿を１枚ずつ画像読み取り装置に給紙し、複数枚の原稿を読み取る。
【０００３】
以下ＡＤＦを搭載した画像読み取り装置の読み取り動作について説明する。
【０００４】
図２はＡＤＦを搭載した画像読み取り装置の概略構成図を示す図である。
【０００５】
ＡＤＦ７０の原稿載置台７１に載置された複数枚数の原稿は１枚ずつ搬送される。複数枚の原稿は分離ローラ７２及び７３によって原稿が１枚ずつ分離搬送され、搬送ローラ７５の矢印方向の回動に従って搬送ガイド７４及び７７に沿って原稿が搬送される。
【０００６】
原稿が読み取り位置に搬送されるまでに、読み取り部２００はシェーディング補正板２１１の直下に移動し、シェーディング補正を実施する。シェーディング補正が終了すると、読み取り部２００は、流し読みウインドウ２１２の直下に移動し、原稿が搬送されてくるまで読み取り待機状態となる。
【０００７】
原稿が搬送されると、原稿の表面画像は搬送ローラ７５の直下で読み取りが行われる。即ち、画像読み取り装置２００内のランプ２０１で照明された原稿画像のラインイメージは、第１ミラー２０５、第２ミラー２０６、第３ミラー２０７、レンズ２０８を介してＣＣＤ２０９に結像し、ラインイメージの読み取りが行われる。搬送ローラ７５は所定の速度で原稿を搬送し、原稿を副走査方向の読み取りが順次行われ、原稿画像の読み取りが行われる。
【０００８】
搬送ローラ７５は所定の速度で原稿を搬送しているので、原稿の副走査方向の読み取りが順次行われ、原稿一面分の読み取りが行われる。読み取りが終了した原稿はガイド７６に沿って排紙トレイ部７８に順次排紙される。
【０００９】
このようにして読み取られた原稿画像データは不図示の画像処理回路に送られ、画像読み取り装置に接続されたホストコンピュータやプリンタなどによって画像が再生され、ディスプレイやプリント用紙上に画像を形成されるように画像形成処理される。
【００１０】
このように、画像読み取り部を固定し、ＡＤＦが原稿を搬送させながら原稿画像を読み取る手法を一般的に流し読みと呼んでいる。
【００１１】
流し読みは、ＡＤＦ側の構成を簡潔にできるため、製品コストを低く抑えることができ、近年のＡＤＦ構造の主流になりつつある。
【００１２】
コストを追求すると従来のＡＤＦに当たり前に構成された部材の取捨の見直しがなされ、必須の構成部材以外は省略されるケースもある。
【００１３】
例えば、原稿搬送中に原稿搬送不良のためジャムが発生してしまった場合、ジャムが発生した原稿を取り除くためには、特許文献２等で提案されているように図２中の分離ローラ７２と分離ローラ７３に挟まれた原稿をリリースするために、分離ローラ７２と分離ローラ７３の圧（ニップ）を解除してジャム処理する手法が一般的であったが、圧解除のメカ構成を省略した製品も市場にあらわれている。
【００１４】
従って、原稿の紙づまり（ジャム）時には、ユーザが自力で慎重に原稿を引っ張り出すか、搬送ローラ７５の駆動軸に併設されたギア等をユーザが手駆動して原稿を徐々に排出せざるを得ず、処理が簡単にすまなくなるという問題があった。
【００１５】
この問題に対応するために特許文献３や特許文献４では装置に設けられているスイッチを兼用し、ジャム処理の際には兼用スイッチを用いて、原稿搬送系を正方向または逆方向に回転させて紙詰まりした原稿を排出する構成が提案されている。
【特許文献１】特開平８−２６２８１５号公報
【特許文献２】特開平５−０６９９９０号公報
【特許文献３】特開平５−２３８５９７号公報
【特許文献４】特開平７−３０２４３５号公報
【発明の開示】
【発明が解決しようとする課題】
【００１６】
しかしながら、上記の従来技術では、原稿搬送系の駆動を開始するスイッチは本体スイッチと兼用しているので部材のコストアップなしに半自動的にジャム処理できて、本体スイッチと兼用しており、操作マニュアルを熟読していないユーザにおいても操作方法がわかりやすいものが望まれていた。
【００１７】
また、一定時間の駆動であるため、原稿排出時に再ジャムが発生した場合緊急停止する手段がなく、さらに原稿が傷んでしまう可能性もあった。
【００１８】
また、ユーザには正方向または逆方向いずれの方向に原稿搬送系を駆動すれば良いのか判断しづらく、駆動方向を間違えるとより複雑なジャムを併発する可能性もあった。
【００１９】
本発明は、上述の問題点に着目してなされたものであって、ＡＤＦジャム時の操作性を改善することのできる自動原稿送り装置を提供することを目的とする。
【課題を解決するための手段】
【００２０】
上記問題点に鑑み、本発明は、複数原稿を載置し、自動的に原稿を１枚ずつ給紙し、所定の読み取り位置に順次原稿を搬送する自動原稿送り装置のうち、
原稿搬送中に原稿の搬送不良によるジャムが発生した場合、ユーザによって自動原稿送り装置のカバーが開けられたことを検知することによって、自動原稿送り装置が搭載されているプリンタ装置などの表示部が通常表示からジャム処理情報表示に自動的に切り替わり、なおかつ操作部上に存在する既存のスイッチをジャム処理用のスイッチに自動的に切り替えることを特徴とする自動原稿送り装置である。
【発明の効果】
【００２１】
ＡＤＦを搭載した画像読み取り装置において原稿搬送中に原稿の搬送不良によるジャムが発生した場合、ユーザによってＡＤＦのカバーが開けられたことを検知することによって、画像読み取り装置に接続されているプリンタ装置などの表示部が通常表示からジャム処理情報表示に自動的に切り替わり、なおかつ操作部上に存在する既存のスイッチをジャム処理用のスイッチに自動的に切り替えるようにしたので、目視的にもジャム処理の手順が理解しやすくなる。
【００２２】
また、第１の所定スイッチを押すことにより、ＡＤＦの原稿搬送系を駆動し、ジャムを発生した原稿を排出するとともに、第２の所定スイッチを押すことによりＡＤＦの原稿搬送系の駆動を中止するようにしたので、原稿排出中に再度ジャムが発生して原稿をさらに傷める可能性を低くした。
【００２３】
さらには、ＡＤＦ内部の原稿搬送経路に設けられた単数または複数の原稿有無を検知する検知センサのセンス状態に応じて自動的に原稿搬送系の駆動方向を決定するようにしたので、ユーザによって間違った駆動方向を選択されることなく、確実なジャム処理が行われる。
【００２４】
この際、第３の所定スイッチを押すことにより、あらかじめ決められた原稿搬送系の駆動方向を逆方向に駆動するようにしたので、検知センサにセンスされないために発生する可能性がある再ジャムの頻度をユーザ操作によって低減することができる。
【発明を実施するための最良の形態】
【００２５】
本発明の実施例を図に従って説明する。
【実施例】
【００２６】
図３は、本発明を実施したＡＤＦの簡単な構成図である。
【００２７】
図２と同じ部材には同一部番を付している。図３中、３１はカバーセンサであり、通常はカバー３０が閉じられていることを検知し、ジャム処理の際にはカバー３０を開くのでカバー３０の開状態を検知する。３２は分離センサであり、原稿載置台７１に載置された複数枚の原稿を分離ローラ７２及び７３によって分離給紙される原稿が所定位置に存在するかどうかを検知する。３３はリードセンサであり、ＡＤＦ読み取り動作中の原稿の有無を検知する。３４は排紙センサであり、搬送ローラ７５を所定量回転させて排紙されるべき原稿が排紙位置に到達していることを検知するとともに、搬送ローラ７５を所定量搬送させて排紙されるべき原稿が完全排紙されて排紙位置に存在していないことを検知する。
【００２８】
これらのセンサと搬送ローラ７５を駆動する不図示の駆動モータの制御は全て不図示のＣＰＵが一元管理している。
【００２９】
即ち、原稿のサイズを検出した後、搬送ローラ７５をどれだけ回動させればそれぞれのセンサのセンス状態がどうなっているかをＣＰＵが管理しており、回動量とセンス状態が一致しなければジャムが発生していると判断することができる。
【００３０】
例えば、図５のように矢印方向に搬送ローラ７５を回動させて原稿を給紙させる際、原稿４０がガイド７４近傍でジャムになってしまったために、原稿４０の先端がリードセンサ３３にセンスされなかった場合、不図示のＣＰＵは原稿にジャムが発生したものと判断し、原稿給送動作を中止する。
【００３１】
同様に図６のように、両面原稿４１の表面画像を読み取った後、裏面原稿を読み取るために搬送ローラ７５を矢印の方向に回動させ、原稿のスイッチバックを行う際に原稿４１が搬送ローラ７５の直下でジャムになってしまったために、原稿４１の先端がリードセンサ３３にセンスされなかった場合も不図示のＣＰＵは原稿にジャムが発生したものと判断し、原稿給送動作を中止する。
【００３２】
以上、図４及び図５で説明したようなジャムが発生した場合は、図６のようにカバー３０を矢印の方向に開いて、ジャム処理を行う。
【００３３】
ジャム処理を行う際、カバー３０を開くとカバーセンサ３１のセンス状態が変化し（ここではデジタル値０が１に変化することにする）、不図示のＣＰＵはカバーが開かれたことを検知する。
【００３４】
このときＣＰＵは、搬送ローラ７５の駆動を中止し、接続されているプリンタ等にジャムが発生した旨を通知する。
【００３５】
プリンタ等に設けられている操作部は、図７のような外観のものが一般的になってきた。
【００３６】
図７中、操作部１００は、液晶タッチパネル画面１０１とテンキー１０２、コピーボタン１０３、ストップボタン１０４から構成されている。
【００３７】
液晶タッチパネル１０１には、コピー可能かどうかのメッセージ、複写倍率、複写濃度などのインフォメーションと、ユーザがカスタマイズできる編集ボタンが表示されている。編集ボタンはタッチパネルになっており、表示されている文字列を直接タッチすれば、操作部１００はタッチ位置が要求する表示メニューを表示したり、あらかじめ決められた動作を開始したりする。
【００３８】
ジャム処理の際、ＡＤＦのカバーが開かれた場合は、操作部１００の液晶タッチパネル１０１は図１のように表示内容を変更する。
【００３９】
液晶タッチパネル１０１は、図１に示すようにＡＤＦのジャム処理に関する情報や入力手段に特化した表示内容となっており、この画面が表示されている限り、原稿の読み取りはできなくなるようシステムが制御する。
【００４０】
図１は図４のようなジャム状態になった場合に表示される内容である。
【００４１】
即ち、原稿４０がジャムになったために、本来原稿４０の先端がリードセンサ３３に到達しているはずなのに到達していない状態である。
【００４２】
この場合は、搬送ローラを図４の矢印と逆方向に回動させるほうがジャム処理として適切である。
【００４３】
よって、図１のようにインフォメーションメッセージ１１１は「逆転」を表示し、インフォメーションメッセージ１１０は矢印１１２を表示して、原稿の排出方向を指し示す。この後ユーザはタッチパネルとなっているスタートボタン１１３を押すことにより、不図示ＣＰＵは搬送ローラ７５を矢印１１２の方向に回動させ、ジャムを発生した原稿４０を給紙方向に排出する。
【００４４】
このとき、必要に応じてストップボタン１１４を押すことによって搬送ローラ７５の回動を中止し、またボタン１１５を押すことによって正転方向に搬送ローラ７５の回動方向を切り替える。このときボタン１１５は「正転」を表示している。
【００４５】
一方、図５のようなジャム状態になった場合には液晶タッチパネル１０１は図８のように内容を表示する。
【００４６】
即ち、図５のように原稿４１がジャムになったために、本来原稿４１の先端がリードセンサ３３に到達しているはずなのに到達していない状態である。
【００４７】
この場合は、搬送ローラを図５の矢印と逆方向に回動させるほうがジャム処理として適切である。
【００４８】
よって、図８のようにインフォメーションメッセージ１１１は「正転」を表示し、インフォメーションメッセージ１１０は矢印１１２を表示して、原稿の排出方向を指し示す。この後ユーザはタッチパネルとなっているスタートボタン１１３を押すことにより、不図示ＣＰＵは搬送ローラ７５を矢印１１２の方向に回動させ、ジャムを発生した原稿４０を排紙方向に排出する
このとき、必要に応じてストップボタン１１４を押すことによって搬送ローラ７５の回動を中止し、またボタン１１５を押すことによって逆転方向に搬送ローラ７５の回動方向を切り替える。このときボタン１１５は「逆転」を表示している。
【００４９】
以上の手順をもってジャム処理が終了すると、分離センサ３２、リードセンサ３３、排紙センサ３４は全て原稿のセンスをしていない。
【００５０】
不図示ＣＰＵはこれをもってジャム処理が終了したものとして、表示内容を図９のように変更する。即ち、インフォメーションメッセージ１１１は「カバーを閉じてください」を表示し、インフォメーションメッセージ１１０は矢印１１５を表示して、カバー３０を閉じるよう促すとともに、スタートボタン１１３等の動作に関わるスイッチを表示しないよう制御する。
【００５１】
ユーザが誤って、カバー３０を開けてしまったときにも図９の表示内容になる。
【図面の簡単な説明】
【００５２】
【図１】ＡＤＦ読み取り時にジャム発生した場合のジャム処理手順の操作部表示例を示す図
【図２】ＡＤＦを搭載した画像読み取り装置の構成を表す図
【図３】ＡＤＦに設けられたセンサ類の配置を示す図
【図４】原稿のジャム状態を示す図
【図５】原稿のジャム状態を示す図
【図６】原稿のジャム処理のためにカバーを開けた状態を示す図
【図７】通常の操作部表示例を示す図
【図８】ＡＤＦ読み取り時にジャム発生した場合のジャム処理手順の操作部表示例を示す図
【図９】ジャム処理終了時の操作部表示例を示す図
【符号の説明】
【００５３】
１００  操作部
１０１  液晶タッチパネル
１０２  テンキー
１０３  コピーボタン
１０４  ストップボタン
１１０、１１１  インフォメーション
１１３  スタートボタン
１１４  ストップボタン
２００  読取り部
２０１  原稿照明ランプ
２０３  原稿ガラス台
２０５  第１ミラー
２０６  第２ミラー
２０７  第３ミラー
２０８  レンズ
２０９  ＣＣＤ
２１１  シェーディング補正板
２１２  流し読みウインドウ
【図１】
2006163289.tif 000003
【図２】
2006163289.tif 000004
【図３】
2006163289.tif 000005
【図４】
2006163289.tif 000006
【図５】
2006163289.tif 000007
【図６】
2006163289.tif 000008
【図７】
2006163289.tif 000009
【図８】
2006163289.tif 000010
【図９】
2006163289.tif 000011